(57)【要約】【課題】連続走行する基材を適正に加工することができ、ガイドローラを適正に回転させることができ、塗工材を乾燥させる場合には、高品質な塗工を施すことができる走行基材加工装置を提供すること。【解決手段】密閉状の加工室２内において連続体状の基材３を貫通搬送させながら加熱加工を施す走行基材加工装置１において、前記加工室２内に前記基材３の搬送をガイドするガイドローラ６を回転自在に複数設け、各ガイドローラ６と前記加工室外部の駆動手段８とを、各ガイドローラ６の熱伸縮を吸収して伝達する非接触継ぎ手手段１０を設けていることを特徴とする。【選択図】      図１
2018202291.tif 000002
【特許請求の範囲】
【請求項１】
密閉状の加工室内において連続体状の基材を貫通搬送させながら加熱加工を施す走行基材加工装置において、
前記加工室内に前記基材の搬送をガイドするガイドローラを回転自在に複数設け、各ガイドローラと前記加工室外部の駆動手段とを、各ガイドローラの熱伸縮を吸収して伝達する非接触継ぎ手手段を設けた
ことを特徴とする走行基材加工装置。
【請求項２】
前記基材は薄膜状の被塗工基材であり、前記加工室は前記被塗工基材の片面若しくは両面に塗工された塗工剤を乾燥させる乾燥室であり、前記被接触継ぎ手手段はマグネットカップリングである
ことを特徴とする請求項１に記載の走行基材加工装置。
【発明の詳細な説明】
【技術分野】
【０００１】
本発明は、走行基材加工装置に係り、特に加工室を貫通走行する基材に対して加工を施すのに好適な走行基材加工装置に関する。
【背景技術】
【０００２】
走行する基材に加工を施す装置としては、薄いフィルム基材を連続的に走行させながら各種の塗工材を薄く塗工する装置が挙げられる。そして、塗工材を乾燥させるための乾燥装置が提案されている(特許文献１参照)。
【先行技術文献】
【特許文献】
【０００３】
【特許文献１】特許第５８３４０４８号公報
【発明の概要】
【発明が解決しようとする課題】
【０００４】
特許文献１においては乾燥室内をフィルムが浮いた状態で貫通走行している。塗工目的によっては、基材をガイドローラによって支承しながら乾燥させる必要がある。
【０００５】
ところが、乾燥室内は塗工材を乾燥させるために高温に設定されているので、ガイドローラが長手方向に熱変形して伸縮するために塗工精度が悪くなることがある。
【０００６】
更に、ガイドローラの伸縮を許容しながら回転させるために、駆動源の回転をオルダム継手を介して伝達しているが、ガイドローラが振動したり、騒音が発生したり、塵埃が発生してしまう。そのことが原因となってフィルムに塵埃が付着したり、ガイドローラの回転周速度が不安定となって基材にカールやスクラッチが発生するという不都合が発生していた。
【０００７】
本発明はこれらの点に鑑みてなされたものであり、連続走行する基材を適正に加工することができ、ガイドローラを適正に回転させることができ、塗工材を乾燥させる場合には、高品質な塗工を施すことができる走行基材加工装置を提供することを目的とする。
【課題を解決するための手段】
【０００８】
前述した目的を達成するため、本発明の走行基材加工装置は、密閉状の加工室内において連続体状の基材を貫通搬送させながら加熱加工を施す走行基材加工装置において、前記加工室内に前記基材の搬送をガイドするガイドローラを回転自在に複数設け、各ガイドローラと前記加工室外部の駆動手段とを、各ガイドローラの熱伸縮を吸収して伝達する非接触継ぎ手手段を設けていることを特徴とする。
【０００９】
そして、このような構成を採用したことにより、非接触継ぎ手手段を介してガイドローラを振動させることなく静寂状態を保持して適正に回転させることができ、ガイドローラの熱による伸縮も吸収して適正に回転させることができ、連続走行する基材を適正に加熱加工して高品質な被加工物を提供することができる。
【００１０】
また、本発明において、走行基材加工装置は、前記第１の形態において、前記基材が薄膜状の被塗工基材であり、前記加工室が前記被塗工基材の片面若しくは両面に塗工された塗工剤を乾燥させる乾燥室であり、前記非接触継ぎ手手段がマグネットカップリングであることを特徴とする。
【００１１】
そして、このような構成を採用したことにより、マグネットカップリングを介してガイドローラを振動させることなく静寂状態を保持して適正に回転させることができ、ガイドローラの熱による伸縮も吸収して適正に回転させることができ、連続走行する被塗工基材の片面若しくは両面に塗工された塗工剤を適正に乾燥させて、被塗工基材にカールやスクラッチが発生することなく適正に加熱加工して、高品質な塗工が施された被塗工基材を提供することができる。
【発明の効果】
【００１２】
本発明に係る走行基材加工装置によれば、連続走行する基材を適正に加工することができ、ガイドローラを適正に回転させることができ、塗工材を乾燥させる場合には、高品質な塗工を施すことができる走行基材加工装置を提供することができるなどの優れた効果を奏する。
【図面の簡単な説明】
【００１３】
【図１】本発明の１実施形態を示す縦断側面図
【図２】図１の２−２線断面図
【発明を実施するための形態】
【００１４】
以下、本発明の走行基材加工装置を図１〜２に示す実施形態により説明する。
【００１５】
本実施形態は本発明を樹脂フィルム、金属箔などの薄膜状の基材にインク、溶融樹脂などの塗工材を塗工して乾燥炉によって乾燥する場合に適用した例について説明する。
【００１６】
図１〜２においては、乾燥炉１を含む構成をスケルトン的に示している。
【００１７】
本実施形態においては、乾燥炉１は水平方向に長い密閉状の乾燥室２を備えている。鉛直方向に長い乾燥室２としてもよい。連続体状の基材３は公知の搬送手段（図示せず）によって、乾燥室２の一方の端部に形成されている入り口４から搬入され、他方の端部に形成されている出口５から搬出されるようにして貫通搬送されるようになっている。乾燥室５内の基材３の搬送方向には複数のガイドローラ６が所定の間隔をもって回転自在に配設されている。各ガイドローラ６は、図２に示すように、両端の回転支軸６ａ部分をそれぞれ軸受７によって水平に支承されているとともに乾燥室２内の温度変化による若干の軸方向の伸縮を自在にして支承されている。ガイドローラ６の一方の回転支軸６ａの延長上に同軸状にして駆動手段としての駆動軸８が乾燥室２の側壁２ａ部分に軸受９によって回転自在に軸支されている。同軸状に対向しているガイドローラ６の一方の回転支軸６ａと駆動軸８との間をガイドローラ６の軸方向の熱伸縮を吸収して伝達する非接触継ぎ手手段としての公知のマグネットカップリング１０によって接続している。本実施形態のマグネットカップリング１０は、磁性円盤１０ａをガイドローラ６の一方の回転支軸６ａと駆動軸８との対向している端部に所定のギャップＧを介して対向するように配置されている。このギャップＧがガイドローラ６の軸方向の熱伸縮を吸収して回転力を伝達できるように作用する。なお、マグネットカップリング１０としては、対向する磁性円盤１０ａ方式に代えて、外側の円筒状磁性体の内側に半径方向および軸長方向にギャップを介しての円柱状磁性体を緩く挿入する方式としてもよい。乾燥室２の側面２ａから露出している駆動軸８には公知の手段を介して駆動源から回転力が付与されるように形成されている。この場合に複数のガイドローラ６を等速の周速度となるようにするとよい。乾燥室２内には、基材３の上側および下側に基材３に塗工された塗工材を乾燥させる公知の上側熱源手段１１、下側熱源手段１２が設けられている。これらの熱源手段１１、１２より供給される熱風などにより乾燥室２内は外部より与圧状態にされて外部との遮断状態を確実に保持されるようになっている。
【００１８】
次に、前述した構成からなる本実施形態の作用について説明する。
【００１９】
乾燥炉１の運転に際しては、連続体状の基材３を所定速度で乾燥室２内を貫通走行させ、駆動源によって各駆動軸８を等速に回転させて各マグネットカップリング１０を介して各ガイドドーラ６を等速に回転させ、熱源手段１１、１２より走行している基材３に対して熱風を付与して、基材３の上下面に塗工された塗工材を乾燥させる。乾燥室２内は与圧状態とされていて外部に対して密閉状態とされる。
【００２０】
この時、各ガイドローラ６によって基材３が支承されるので、特許文献１のような浮いた状態で走行していないので、塗工材の乾燥がより良好に実行される。
【００２１】
特に、各ガイドローラ６が被接触継ぎ手手段であるマグネットカップリング１０を介して回転駆動されるので、振動することなく、騒音を発生することなく、極めて静寂に回転する。更に、ガイドローラ６は熱によって軸方向に伸縮しても、マグネットカップリング１０がギャップＧを介して吸収されるので、常に適正に回転駆動される。複数のガイドローラ６はその周速度を等速になるように制御される。
【００２２】
これによって、連続走行する被塗工基材である基材３の片面若しくは両面に塗工された塗工剤を適正に乾燥させて、基材３にカールやスクラッチが発生することなく適正に加熱加工を施して、高品質な塗工が施された基材３を提供することができる。
【００２３】
工程全体を通して塵埃が発生することがないので、塗工部分に塵埃が付着することも確実に防止することができ、メンテナンスも非常に簡易となる。
【００２４】
前記実施形態においては、本発明を塗工材を乾燥させる乾燥炉１に適用したが、熱によって軸方向に伸縮するガイドローラを用いて加熱加工する工法に本発明を適用するとよい。その場合にも、非接触継ぎ手手段を介してガイドローラを振動させることなく静寂状態を保持して適正に回転させることができ、ガイドローラの熱による伸縮も吸収して適正に回転させることができ、連続走行する基材を適正に加熱加工して高品質な被加工物を提供することができる。
【００２５】
なお、本発明は、前述した実施形態に限定されるものではなく、必要に応じて種々の変更が可能である。
【符号の説明】
【００２６】
１  乾燥炉
２  乾燥室
３  基材
６  ガイドローラ
８  駆動軸
１０  マグネットカップリング
【図１】
2018202291.tif 000003
【図２】
2018202291.tif 000004